(57)【要約】【課題】パンツタイプの吸収性物品を着用する着用者の羞恥心を軽減する。【解決手段】吸収性物品１は、パンツタイプの使い捨ておむつであり、本体部２の前方部２０１および後方部に外側から視認可能に設けられた第１マーク５１および第２マークを備える。第１マーク５１および第２マークは、本体部２の前後の識別に利用される情報を含んでおり、第１マーク５１および第２マーク５２の全体が本体部２の上下方向に沿う本体部中心線２０の一方側、かつ、吸収コア２２が存在する領域に設けられる。これにより、前方部２０１および後方部において第１マーク５１および第２マークが目立つことを抑制することができ、吸収性物品１の着用者の羞恥心を軽減することができる。【選択図】図２
2007202851.tif 000002
【特許請求の範囲】
【請求項１】
上端に胴部開口を有し、下端に一対の脚部開口を有するパンツタイプの使い捨て吸収性物品であって、
パンツ状の本体部と、
着用者の腹側に接する前記本体部の前方部および前記着用者の背側に接する後方部の少なくとも一方に外側から視認可能に設けられたマークと、
を備え、
前記前方部から前記着用者の股間部に対向する中間部を経由して前記後方部へと至る前記本体部の中心線に対して前記マークの位置が偏っていることを特徴とする使い捨て吸収性物品。
【請求項２】
請求項１に記載の使い捨て吸収性物品であって、
前記本体部が、
吸収コアと、
前記吸収コアの着用者側である内側を覆うトップシートと、
前記吸収コアの外側を覆うバックシートと、
を備え、
前記マークが、前記前方部および前記後方部の前記少なくとも一方において、前記吸収コアが存在する領域に設けられることを特徴とする使い捨て吸収性物品。
【請求項３】
請求項１または２に記載の使い捨て吸収性物品であって、
胴部開口のエッジに沿って前記本体部に接合されるとともに収縮することにより胴部開口ギャザを形成する胴部弾性部材と、
一対の脚部開口のそれぞれのエッジに沿って前記本体部に接合されるとともに収縮することにより脚部開口ギャザを形成する脚部弾性部材と、
前記胴部弾性部材および前記脚部弾性部材の間において左右方向に沿って前記前方部および前記後方部に接合されるとともに収縮することにより前方部ギャザおよび後方部ギャザを形成する前後部弾性部材と、
をさらに備え、
前記マークが、前記前方部および前記後方部の前記少なくとも一方において、前記前後部弾性部材が接合された領域以外の他の領域に設けられることを特徴とする使い捨て吸収性物品。
【請求項４】
請求項１ないし３のいずれかに記載の使い捨て吸収性物品であって、
前記マークが、前記本体部の前記中心線から離間していることを特徴とする使い捨て吸収性物品。
【請求項５】
請求項１ないし４のいずれかに記載の使い捨て吸収性物品であって、
前記マークが、前記本体部の前後の識別に利用されることを特徴とする使い捨て吸収性物品。
【請求項６】
請求項１ないし５のいずれかに記載の使い捨て吸収性物品であって、
前記マークが、前記本体部の前記前方部および前記後方部に設けられることを特徴とする使い捨て吸収性物品。
【発明の詳細な説明】
【技術分野】
【０００１】
本発明は、上端に胴部開口を有し、下端に一対の脚部開口を有するパンツタイプの使い捨て吸収性物品に関する。
【背景技術】
【０００２】
従来より、着用者からの排泄物を受ける使い捨ておむつの１つとしてパンツタイプのものが利用されている。パンツタイプの使い捨ておむつでは、着用する際に使い捨ておむつの前後を容易に識別することができるように、本体部の前方部や後方部に「まえ」や「うしろ」といった文字が印刷されているものがある。
【０００３】
特許文献１では、パンツ型使い捨ておむつにおいて、外装シートの股部近傍におむつのサイズを示す文字を幅方向（すなわち、左右方向）に１列に印刷することにより、複数の使い捨ておむつを重ねた状態であっても当該文字を容易に確認する技術が開示されている。
【特許文献１】特開２００５−７４１５７号公報
【発明の開示】
【発明が解決しようとする課題】
【０００４】
ところで、パンツタイプの使い捨ておむつは、外観が通常のパンツ等の衣類と似ていることもあり、このような文字等が前方部や後方部の中央に大きく印刷されていることに対して着用者（特に、老人）が羞恥心を覚えることが多い。しかしながら、前後やサイズ等を示す識別文字等を全く用いないとすると、使い捨ておむつの着用時における利便性が大きく低下してしまう。
【０００５】
本発明は、上記課題に鑑みなされたものであり、パンツタイプの使い捨て吸収性物品を着用する着用者の羞恥心を軽減することを目的としている。
【課題を解決するための手段】
【０００６】
請求項１に記載の発明は、上端に胴部開口を有し、下端に一対の脚部開口を有するパンツタイプの使い捨て吸収性物品であって、パンツ状の本体部と、着用者の腹側に接する前記本体部の前方部および前記着用者の背側に接する後方部の少なくとも一方に外側から視認可能に設けられたマークとを備え、前記前方部から前記着用者の股間部に対向する中間部を経由して前記後方部へと至る前記本体部の中心線に対して前記マークの位置が偏っている。
【０００７】
請求項２に記載の発明は、請求項１に記載の使い捨て吸収性物品であって、前記本体部が、吸収コアと、前記吸収コアの着用者側である内側を覆うトップシートと、前記吸収コアの外側を覆うバックシートとを備え、前記マークが、前記前方部および前記後方部の前記少なくとも一方において、前記吸収コアが存在する領域に設けられる。
【０００８】
請求項３に記載の発明は、請求項１または２に記載の使い捨て吸収性物品であって、胴部開口のエッジに沿って前記本体部に接合されるとともに収縮することにより胴部開口ギャザを形成する胴部弾性部材と、一対の脚部開口のそれぞれのエッジに沿って前記本体部に接合されるとともに収縮することにより脚部開口ギャザを形成する脚部弾性部材と、前記胴部弾性部材および前記脚部弾性部材の間において左右方向に沿って前記前方部および前記後方部に接合されるとともに収縮することにより前方部ギャザおよび後方部ギャザを形成する前後部弾性部材とをさらに備え、前記マークが、前記前方部および前記後方部の前記少なくとも一方において、前記前後部弾性部材が接合される領域以外の他の領域に設けられる。
【０００９】
請求項４に記載の発明は、請求項１ないし３のいずれかに記載の使い捨て吸収性物品であって、前記マークが、前記本体部の前記中心線から離間している。
【００１０】
請求項５に記載の発明は、請求項１ないし４のいずれかに記載の使い捨て吸収性物品であって、前記マークが、前記本体部の前後の識別に利用される。
【００１１】
請求項６に記載の発明は、請求項１ないし５のいずれかに記載の使い捨て吸収性物品であって、前記マークが、前記本体部の前記前方部および前記後方部に設けられる。
【発明の効果】
【００１２】
本発明では、マークの位置が本体部の中心線に対して偏っていることにより、着用者の羞恥心を軽減することができる。請求項２および３の発明では、マークを容易に認識することができる。
【発明を実施するための最良の形態】
【００１３】
図１は、本発明の一の実施の形態に係る使い捨ての吸収性物品１の外観を示す図であり、図２および図３はそれぞれ、吸収性物品１を正面図（すなわち、着用者の腹側に位置する部位の図）および背面図（すなわち、着用者の背側に位置する部位の図）である。吸収性物品１は、上端（すなわち、図１中の上側の端部）に胴部開口１１を有し、下端に一対の脚部開口１２を有するパンツタイプの使い捨ておむつである。
【００１４】
図４は、吸収性物品１を展開した状態で着用者側から見た平面図である。図４に示すように、吸収性物品１は、パンツ状の本体部２を備える。吸収性物品１では、本体部２の図４中の下側の部位２０１が着用者の腹側の肌に接し、図４中の上側の部位２０３が着用者の背側の肌に接する。以下の説明では、本体部２の着用者の腹側および背側の肌に接する部位２０１，２０３をそれぞれ、「前方部２０１」および「後方部２０３」と呼び、前方部２０１と後方部２０３との間で着用者の股間部に対向する部位２０２を「中間部２０２」と呼ぶ。
【００１５】
図１に示すように、吸収性物品１では、本体部２が中間部２０２で折り曲げられ、中間部２０２を下側に向けた際の前方部２０１の左右方向の両側の部位（すなわち、前方部２０１の幅方向の両側の部位）が、後方部２０３の左右方向の両側の部位（すなわち、後方部２０３の幅方向の両側の部位）にそれぞれ接合されている。
【００１６】
図５は、吸収性物品１を図４中に示すＡ−Ａの位置で切断した断面図である。図４および図５に示すように、本体部２は、吸収体である吸収コア２２、吸収コア２２の内側（すなわち、着用者側）の主面を覆うトップシート２１、吸収コア２２の外側（すなわち、着用者側とは反対側）の主面を覆うバックシート２３、バックシート２３の外側を覆う外装シート２４、および、吸収コア２２の長手方向（すなわち、図４中の上下方向）のほぼ全長に亘って吸収コア２２の長手方向に対して垂直な幅方向の両側に設けられた一対の側壁部３を備える。
【００１７】
図４中では、吸収コア２２の輪郭を太い破線にて示す。吸収コア２２は、平面視において、長手方向の両端部の左右方向の幅が中間部の幅よりも大きい形状（いわゆる、砂時計型の形状）を有する。トップシート２１およびバックシート２３は、ホットメルト接着剤等により吸収コア２２の周囲にて互いに接合され、吸収コア２２の側方には側壁部３が接合される。また、外装シート２４およびバックシート２３もホットメルト接着剤等により接合される。
【００１８】
トップシート２１は透液性の材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００１９】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２０】
バックシート２３は、撥水性または不透液性のプラスチックフィルムであり、トップシート２１を透過した水分、および、吸収コア２２に一旦吸収された水分が、外装シート２４側にしみ出すのを防止する。着用者の快適性の観点からは、通気性を有するプラスチックフィルムがバックシート２３として利用されることが好ましい。バックシート２３としては、撥水性または不透液性の不織布や当該不織布の内側に撥水性または不透液性のプラスチックフィルムが積層された積層シートが利用されてもよい。バックシート２３に利用される不織布は、例えば、スパンボンド不織布やメルトブロー不織布、ＳＭＳ（スパンボンド・メルトブロー・スパンボンド）不織布であり、必要に応じて撥水処理が施されてもよい。
【００２１】
外装シート２４は、撥水性または不透液性の不織布であり、前方部２０１における外装シート２４の左右両側の部位が、後方部２０３における外装シート２４の左右両側の部位にそれぞれ接合されることにより、吸収性物品１がパンツ型に形成される。なお、外装シート２４として、撥水性または不透液性のプラスチックフィルムやプラスチックフィルムと不織布との積層シートが利用されてもよいが、着用者の肌触りを向上するという観点からは、外装シート２４は不織布により形成されることが好ましい。
【００２２】
図４および図５に示すように、一対の側壁部３のそれぞれには、長手方向に伸びる２本の弾性糸３１が接合されており、図４に示すように吸収性物品１を広げた状態では、弾性糸３１は伸張状態となっている。吸収性物品１では、弾性糸３１が収縮することにより、本体部２の側方において側壁部３が着用者側に向かって立ち上がり、着用時に着用者の足の付け根近傍に当接する立体ギャザーが形成される。
【００２３】
側壁部３は、撥水性または不透液性の不織布（例えば、スパンボンド不織布やメルトブロー不織布、ＳＭＳ不織布）やプラスチックフィルム、あるいは、これらの複合材料により形成される。吸収性物品１の快適性向上の観点からは、側壁部３が通気性を有することが好ましい。弾性糸３１としては、例えば、ポリウレタン糸、帯状のポリウレタンフィルム、糸状または帯状の天然ゴム等が用いられる。
【００２４】
図１ないし図３に示すように、吸収性物品１は、また、胴部開口１１のエッジに沿うとともに胴部開口１１の全周に亘って本体部２に接合される胴部弾性部材４１、一対の脚部開口１２のそれぞれのエッジに沿うとともに脚部開口１２のほぼ全周に亘って本体部２に接合される脚部弾性部材４２、胴部弾性部材４１および脚部弾性部材４２の間において左右方向（すなわち、幅方向）に沿って前方部２０１および後方部２０３に接合される前後部弾性部材４３をさらに備える。
【００２５】
胴部弾性部材４１、脚部弾性部材４２および前後部弾性部材４３はそれぞれ、複数の弾性糸を備える。これらの弾性糸は、例えば、ポリウレタン糸、帯状のポリウレタンフィルム、糸状または帯状の天然ゴム等であり、ホットメルト接着剤等により外装シート２４に伸張状態で接着される。そして、これらの弾性糸が収縮することにより、胴部開口１１、脚部開口１２、並びに、本体部２の前方部２０１および後方部２０３に、胴部開口ギャザ、脚部開口ギャザ、前方部ギャザおよび後方部ギャザが形成される。前後部弾性部材４３が接合される部位では、外装シート２４は２枚の不織布を積層した構造とされており、前後部弾性部材４３は当該２枚の不織布の間に接合される。なお、正確には胴部弾性部材４１および前後部弾性部材４３の弾性糸は、前方部２０１と後方部２０３とに個別に設けられる。
【００２６】
着用者に着用された状態の吸収性物品１では、伸張された胴部弾性部材４１が収縮することにより、胴部開口１１近傍の部位が着用者の胴回りに密着し、脚部弾性部材４２が収縮することにより、脚部開口１２近傍の部位が着用者の脚部に密着する。また、前後部弾性部材４３が収縮することにより、前方部２０１および後方部２０３が着用者の腹側および背側の肌に密着する。このように、着用者に対する吸収性物品１の密着性を向上することにより、吸収性物品１が排泄物の重さ等によりずれてしまうことを防止することができる。
【００２７】
また、吸収性物品１が着用者に着用された状態（すなわち、胴部弾性部材４１、脚部弾性部材４２および前後部弾性部材４３が伸張された状態）では、前後部弾性部材４３の複数の弾性糸にそれぞれ生じる張力は、胴部弾性部材４１に生じる張力よりも小さい。このため、本体部２の前方部２０１および後方部２０３の着用者に対する密着性が過剰に大きくなることを防止することができ、吸収性物品１の着用感を快適なものとすることができる。
【００２８】
図２に示すように、吸収性物品１は、本体部２の前方部２０１に外側（すなわち、着用者側とは反対側）から視認可能に設けられた第１マーク５１を備える。第１マーク５１は、吸収性物品１の本体部２の前後の識別に利用される「まえ」という文字が、２つの菱形の記号により左右から挟まれたものである。換言すれば、第１マーク５１は、本体部２の前後の識別に利用される情報を含んでいる。
【００２９】
第１マーク５１は、本体部２の前方部２０１から中間部２０２を経由して後方部２０３へと至る中心線（すなわち、図２中において左右方向に垂直な上下方向に沿う中心線であり、以下、「本体部中心線」という。）２０の右側（すなわち、着用者にとっての左側）において、吸収コア２２が存在する領域であって、かつ、前後部弾性部材４３が接合される領域よりも下側の領域に設けられる。そして、第１マーク５１の上下方向に沿う中心線（以下、「第１マーク中心線」という。）５１１は、本体部中心線２０と平行であって、かつ、左右方向において離間している。ここで、第１マーク中心線５１１とは、第１マーク５１に外接する仮想的な矩形領域５１０（本実施の形態では、上下方向および左右方向において第１マーク５１と大きさが等しい矩形領域であり、図２中において二点鎖線にて囲んで示す。）の左右方向の中央を通り、上下方向に伸びる直線を意味する。本実施の形態では、矩形領域５１０の左右方向および上下方向の大きさは、それぞれ約５ｃｍおよび約１．５ｃｍである。
【００３０】
吸収性物品１は、また、図３に示すように、本体部２の後方部２０３に外側から視認可能に設けられた第２マーク５２を備える。第２マーク５２は、「うしろ」という文字が２つの菱形の記号により左右から挟まれたものであり、第１マーク５１と同様に、本体部２の前後の識別に利用される情報を含んでいる。
【００３１】
第２マーク５２は、本体部中心線２０の一方側（本実施の形態では、図３中の左側であり、着用者にとっても左側）において吸収コア２２が存在する領域であって、かつ、前後部弾性部材４３が接合される領域よりも下側の領域に設けられる。第２マーク中心線５２１は、本体部中心線２０と平行であって、かつ、左右方向において離間している。第２マーク中心線５２１も、第１マーク中心線５１１と同様に、第２マーク５２に外接する仮想的な矩形領域５２０（図３中において二点鎖線にて囲んで示す。）の左右方向の中央を通り、上下方向に伸びる直線を意味する。
【００３２】
第１マーク５１および第２マーク５２は、図２および図３に示すように、本体部中心線２０に関して本体部２の同一の側（本実施の形態では、着用者にとっての左側）に配置される。第１マーク５１および第２マーク５２は、吸収性物品１の本体部２の形成工程において、外装シート２４の外側（すなわち、着用者側とは反対側）にインクジェット印刷にて印刷される。
【００３３】
吸収性物品１が着用される際には、着用者や介護者等により第１マーク５１や第２マーク５２が視認されることにより、吸収性物品１の前後が容易に識別される。その結果、吸収性物品１を容易に装着することができる。
【００３４】
以上に説明したように、吸収性物品１では、第１マーク５１の第１マーク中心線５１１が本体部２の本体部中心線２０と離間しているため、換言すれば、第１マーク５１の位置が本体部中心線２０に対して偏っているため、第１マーク中心線５１１が本体部中心線２０と一致している場合（すなわち、第１マーク５１の中心が本体部２の左右方向の中央に配置されている場合）に比べて、前方部２０１において第１マーク５１が目立つことを抑制することができ、吸収性物品１の着用者（特に、老人）の羞恥心を軽減することができる。
【００３５】
また、第２マーク５２についても同様に、第２マーク５２の位置が本体部中心線２０に対して偏っているため、後方部２０３において第２マーク５２が目立つことを抑制することができ、着用者の羞恥心を軽減することができる。吸収性物品１では、本体部２の前方部２０１および後方部２０３のそれぞれにマーク（すなわち、第１マーク５１および第２マーク５２）が設けられることにより、吸収性物品１の前後どちら側からでもマークを視認することができる。したがって、吸収性物品１を手に取る際に、あるいは、吸収性物品１を着用した状態において、使用者（例えば、吸収性物品１の着用を介助する介護者や着用者自身）が、吸収性物品１の向きに関わらず容易にマークを確認して吸収性物品１の前後を容易に識別することができる。その結果、吸収性物品１をより容易に装着することができる。
【００３６】
吸収性物品１では、第１マーク５１が左右方向に関して本体部中心線２０の一方側にのみ設けられる（すなわち、第１マーク５１の全体が本体部中心線２０から離間している）ことにより、第１マーク５１が目立つことをより一層抑制することができ、着用者の羞恥心をさらに軽減することができる（第２マーク５２においても同様）。また、第１マーク５１および第２マーク５２が、左右方向に関して本体部中心線２０の同一の側（本実施の形態では、着用者にとっての左側）に配置されることにより、着用者が、万一第１マーク５１および第２マーク５２が示す前後の識別情報を読み違えて着用した場合であっても、通常の着用時とは反対側（すなわち、着用者にとっての右側）にマークがくるため、前後を間違えて着用したことに容易に気付いて着用し直すことができる。なお、第１マーク５１および第２マーク５２は、正常に着用された吸収性物品１において、着用者にとっての右側に配置されてもよい。
【００３７】
吸収性物品１では、第１マーク５１および第２マーク５２が、吸収コア２２が存在する領域（すなわち、吸収コア２２が存在しない他の領域に比べて厚く、折れ曲がりにくい領域）に設けられることにより、前方部２０１および後方部２０３において、第１マーク５１および第２マーク５２が設けられる領域が皺になることが抑制される。このため、第１マーク５１および第２マーク５２を容易に認識することができる。
【００３８】
また、第１マーク５１および第２マーク５２が、本体部２の前方部２０１および後方部２０３において、前後部弾性部材４３が接合された領域以外の他の領域（すなわち、前後部弾性部材４３の収縮により生じる皺等の影響が実質的に及ばない領域）に設けられることにより、第１マーク５１および第２マーク５２をより容易に認識することができる。
【００３９】
以上、本発明の実施の形態について説明してきたが、本発明は上記実施の形態に限定されるものではなく、様々な変更が可能である。
【００４０】
例えば、第１マーク５１は、本体部２の前方部２０１において、本体部中心線２０に対して偏って配置されていれば（すなわち、第１マーク中心線５１１が本体部中心線２０と離間していれば）、図６に示す吸収性物品１ａのように、本体部中心線２０を跨いで（すなわち、第１マーク５１を囲む矩形領域５１０が本体部中心線２０の両側に存在するように）配置されてもよい。また、第１マーク５１が目立つことをより一層抑制するという観点からは、第１マーク５１が本体部中心線２０から左右方向に関して大きく離れて配置されることが好ましく、この場合、図７に示す吸収性物品１ｂのように、第１マーク５１が吸収コア２２の非存在領域に設けられてもよい。なお、これらの点について、第２マーク５２も第１マーク５１と同様である。
【００４１】
第１マーク５１および第２マーク５２は、必ずしも本体部２の外装シート２４の外側（すなわち、着用者側とは反対側）に印刷される必要はなく、例えば、外装シート２４の内側やバックシート２３上、あるいは、吸収コア２２の親水性繊維等を包む被覆シート上に印刷されてもよい。この場合、第１マーク４１および第２マーク４２は、外装シート２４を透かして視認可能とされる。
【００４２】
第１マーク５１および第２マーク５２は、必ずしもひらがな文字と記号との組み合わせには限定されず、例えば、ひらがなやカナカナ、漢字やアルファベット等の文字のみにより構成されてもよい。あるいは、記号やパターン図形（例えば、キャラクタや動物等の図形）により構成されてもよく、文字、記号、パターン図形等の組み合わせであってもよい。なお、吸収性物品１の前後を容易に識別するという観点からは、第１マーク５１および第２マーク５２が吸収性物品１の前後を示す文字を含むことが好ましく、逆に、マークが目立つことを抑制して着用者の羞恥心を軽減するという観点からは、両マークが図形や記号のみで構成されることが好ましい。
【００４３】
第１マークおよび第２マークは、必ずしも、前後の識別に利用される情報を文字という形式で含む必要はなく、例えば、図８および図９に示す吸収性物品１ｃのように、本体部２の前方部２０１および後方部２０３にそれぞれ、長方形の記号である第１マーク５１ａおよび三角形の記号である第２マーク５２ａが設けられ、吸収性物品１の包装袋等に「長方形のマークが腹側に、三角形のマークが背側になるように着用下さい。」との取り扱い説明が記載されていてもよい。このように、第１マークおよび第２マークは、取り扱い説明等と共に利用されることにより吸収性物品１の前後を識別する情報となるものであってもよい。なお、第１マークと第２マークとの違いを強調するために、両マークの色が互いに異なるものとされてもよい。
【００４４】
また、第１マークおよび第２マークには、前後の識別に利用される情報以外にも、例えば、吸収性物品１のサイズや使用対象の性別の識別に利用される情報が含まれていてもよい。さらには、第１マークおよび第２マークは、吸収性物品の製造元や販売元等を示す社名やロゴ等であってもよく、特に情報を含まない単なる装飾目的のマークであってもよい。
【００４５】
吸収性物品１では、必ずしも前方部２０１および後方部２０３の両方にマークが設けられる必要はなく、前方部２０１および後方部２０３の少なくとも一方に設けられていればよい。すなわち、第１マーク５１および第２マーク５２のいずれか一方が設けられていればよく、第１マーク５１のみが設けられている場合には、吸収性物品１の着用途上（例えば、吸収性物品１に両足を挿入したばかりの段階）においても、第１マーク５１を容易に視認することができ、吸収性物品１の前後を迅速に識別することができる。また、第２マーク５２のみが設けられている場合には、着用後において第２マーク５２が着用者自身の視界に入ることは稀であるため、着用者の羞恥心をより軽減することができる。
【００４６】
吸収性物品１では、前方部２０１におけるトップシート２１およびバックシート２３の左右両側（すなわち、幅方向の両側）の部位が、後方部２０３におけるトップシート２１およびバックシート２３の左右両側の部位に、それぞれ外装シート２４を介さずに直接接合されてパンツ状の本体部２が形成されてもよい。この場合、外装シート２４は省略されてもよい。外装シート２４が省略される場合、第１マーク５１および第２マーク５２はバックシート２３の外側等に視認可能に印刷される。
【図面の簡単な説明】
【００４７】
【図１】吸収性物品の外観を示す図である。
【図２】吸収性物品の正面図である。
【図３】吸収性物品の背面図である。
【図４】吸収性物品を展開した状態の平面図である。
【図５】吸収性物品の断面図である。
【図６】吸収性物品の他の例を示す正面図である。
【図７】吸収性物品の他の例を示す正面図である。
【図８】吸収性物品の他の例を示す正面図である。
【図９】吸収性物品の他の例を示す背面図である。
【符号の説明】
【００４８】
１，１ａ〜１ｃ    吸収性物品
２    本体部
１１    胴部開口
１２    脚部開口
２０    本体部中心線
２１    トップシート
２２    吸収コア
２３    バックシート
２４    外装シート
４１    胴部弾性部材
４２    脚部弾性部材
４３    前後部弾性部材
５１，５１ａ    第１マーク
５２，５２ａ    第２マーク
２０１    前方部
２０２    中間部
２０３    後方部
５１１    第１マーク中心線
５２１    第２マーク中心線
【図１】
2007202851.tif 000003
【図２】
2007202851.tif 000004
【図３】
2007202851.tif 000005
【図４】
2007202851.tif 000006
【図５】
2007202851.tif 000007
【図６】
2007202851.tif 000008
【図７】
2007202851.tif 000009
【図８】
2007202851.tif 000010
【図９】
2007202851.tif 000011